(57)【要約】【課題】  この発明は、撮像時に、自動的に、写真データを整理できるように処理する撮像装置を提供することを目的としている。【解決手段】  第１の撮像動作に応じて取得された時刻情報を第１の撮像画像と関連付けて記録媒体に記録する時刻情報記録手段（１１４）と、第２の撮像動作に応じて撮像された第２の撮像画像に係る時刻情報を取得し、前記記録された第１の撮像画像に係る時刻情報との差を求め、予め設定された時間と比較し、前記第１および第２の撮像に係る時刻差が予め設定された時間より大きいか否かを判定する撮像時刻差判定手段（１１４）と、前記第１および第２の撮像に係る時刻差が予め設定された時間より大きいと判定された場合は、画像をマーキングするための第１のマーキング画像を前記第２の撮像動作で撮像される画像に関連付けて記録媒体に記録する画像記録手段（１１４）を備える。【選択図】      図５
2008306401.tif 000002
【特許請求の範囲】
【請求項１】
撮像した画像を記録媒体に記録する撮像装置において、
撮像を行う撮像手段と、
第１の撮像動作に応じて時刻情報を取得する撮像時刻取得手段と、
前記取得された時刻情報を撮像された第１の撮像画像と関連付けて記録媒体に記録する時刻情報記録手段と、
第２の撮像動作に応じて撮像された第２の撮像画像に係る時刻情報を取得し、前記記録された第１の撮像画像に係る時刻情報との差を求め、予め設定された時間と比較し、前記第１および第２の撮像に係る時刻差が予め設定された時間より大きいか否かを判定する撮像時刻差判定手段と、
前記第１および第２の撮像に係る時刻差が予め設定された時間より大きいと判定された場合は、画像をマーキングするための第１のマーキング画像を前記第２の撮像動作で撮像される画像に関連付けて記録媒体に記録する画像記録手段を備えることを特徴とする撮像装置。
【請求項２】
第３の撮像動作に応じて撮像された第３の撮像画像に係る時刻情報を取得し、前記記録された第２の撮像画像に係る時刻情報との差を求め、予め設定された時間と比較し、前記第２および第３の撮像に係る時刻差が予め設定された時間より大きいか否かを判定し、前記第２および第３の撮像に係る時刻差が予め設定された時間より大きいと判定された場合は、画像をマーキングするための第２のマーキング画像を前記第３の撮像動作で撮像される画像に関連付けて記録媒体に記録し、前記第１のマーキング画像に関連付けられた位置情報と前記第２のマーキング画像に関連付けられた位置情報の差を予め設定された位置間隔と比較し、前記位置情報の差が予め設定された位置間隔より大きい場合は前記記録された第１のマーキング画像または第２のマーキング画像の少なくとも１つに位置情報を関連付けて編集することを特徴とする請求項1に記載の撮像装置。
【請求項３】
前記予め設定された時間または前記予め設定された位置間隔は任意に設定可能であることを特徴とする請求項１または２に記載の撮像装置。
【請求項４】
撮像を行うステップと、
第１の撮像動作に応じて時刻情報を取得するステップと、
前記取得された時刻情報を第１の撮像画像と関連付けて記録媒体に記録するステップと、
第２の撮像動作に応じて時刻情報を取得し、前記記録された第１の撮像画像に係る時刻情報との差を求め、予め設定された時間と比較し、前記第１および第２の撮像に係る時刻差が予め設定された時間より大きいか否かを判定するステップと、
前記第１および第２の撮像に係る時刻差が予め設定された時間より大きいと判定された場合は、画像をマーキングするための第１のマーキング画像を前記第２の撮像動作で撮像される画像に関連付けて記録媒体に記録するステップを備えることを特徴とする撮像方法。
【請求項５】
第３の撮像動作に応じて時刻情報を取得し、前記記録された第２の撮像画像に係る時刻情報との差を求め、予め設定された時間と比較し、前記第２および第３の撮像に係る時刻差が予め設定された時間より大きいか否かを判定し、前記第２および第３の撮像に係る時刻差が予め設定された時間より大きいと判定された場合は、画像をマーキングするための第２のマーキング画像を前記第３の撮像動作で撮像される画像に関連付けて記録媒体に記録し、前記第１のマーキング画像に関連付けられた位置情報と前記第２のマーキング画像に関連付けられた位置情報の差を予め設定された位置間隔と比較し、前記位置情報の差が予め設定された位置間隔より大きい場合は前記記録された第１のマーキング画像または第２のマーキング画像の少なくとも１つに位置情報を関連付けて編集するステップを備えることを特徴とする請求項４に記載の撮像方法。
【発明の詳細な説明】
【技術分野】
【０００１】
この発明は、撮像した画像を記録媒体に記録する撮像装置に関する。またこの発明は、今回の撮像（第２の撮像）画像に係る時刻と記録された前回の撮像（第１の撮像）画像に係る時刻の差に応じてマーキング画像を撮像画像に関連付けて記録する撮像装置に関する。
【背景技術】
【０００２】
現在、デジタルカメラ等の撮像装置が製品化されている。このような撮像装置は、撮像した画像を記録媒体に手軽に記録することができる。
このような撮像装置は、撮影された写真データに新規な情報を付与して、この情報に基づいてより多彩で正確なスライドショーデータを生成することが可能となっている。
【０００３】
特許文献１には、時刻データが付与された写真データを取得して記録を行う静止画処理装置に関する技術が開示されている。ここでは、静止画処理装置の現在の位置を取得する位置取得手段と、現在時刻の取得を行う時刻取得手段と、前記写真データに前記位置取得手段において取得した位置情報を付与する位置付与手段と、前記時刻データと前記時刻取得手段において取得した現在時間とを比較して前記写真データの位置情報の正確さを示すスコア情報を生成するスコア生成手段と、前記スコア情報及び前記位置情報が付与された写真データを蓄積する蓄積手段とを備え、前記スコア情報はスライドショーの構成を定める基準となる情報であるという技術が開示されている。
【０００４】
しかしながら、この特許文献１では撮像時に写真データが記録され、この記録された写真データに対して、整理のために後から情報を付与している。つまり、特許文献１では撮像時に、自動的に、写真データを整理できるように処理する技術が開示されていない。このため、撮像時に、自動的に、写真データを整理できるように処理する技術が望まれていた。
【特許文献１】特開２００５−６１２５
【発明の開示】
【発明が解決しようとする課題】
【０００５】
そこで、この発明は、上記事情を考慮してなされたもので、撮像時に、自動的に、写真データを整理できるように処理する機能を備える撮像装置を提供することを目的としている。またこの発明は、撮像装置が、撮像時に、自動的に、写真データを整理できるように処理し、これによってユーザの利便性を向上させることを目的としている。
【課題を解決するための手段】
【０００６】
この発明に係る撮像装置は、撮像を行う撮像手段と、第１の撮像動作に応じて時刻情報を取得する撮像時刻取得手段と、前記取得された時刻情報を撮像された第１の撮像画像と関連付けて記録媒体に記録する時刻情報記録手段と、第２の撮像動作に応じて撮像された第２の撮像画像に係る時刻情報を取得し、前記記録された第１の撮像画像に係る時刻情報との差を求め、予め設定された時間と比較し、前記第１および第２の撮像に係る時刻差が予め設定された時間より大きいか否かを判定する撮像時刻差判定手段と、前記第１および第２の撮像に係る時刻差が予め設定された時間より大きいと判定された場合は、画像をマーキングするための第１のマーキング画像を前記第２の撮像動作で撮像される画像に関連付けて記録媒体に記録する画像記録手段を備えるように構成している。
【０００７】
この発明に係る撮像方法は、撮像を行うステップと、第１の撮像動作に応じて時刻情報を取得するステップと、前記取得された時刻情報を第１の撮像画像と関連付けて記録媒体に記録するステップと、第２の撮像動作に応じて撮像された第２の撮像画像に係る時刻情報を取得し、前記記録された第１の撮像画像に係る時刻情報との差を求め、予め設定された時間と比較し、前記第１および第２の撮像に係る時刻差が予め設定された時間より大きいか否かを判定するステップと、前記第１および第２の撮像に係る時刻差が予め設定された時間より大きいと判定された場合は、画像をマーキングするための第１のマーキング画像を前記第２の撮像動作で撮像される画像に関連付けて記録媒体に記録するステップを備えるように構成している。
【発明の効果】
【０００８】
上記した構成によれば、撮像時に、自動的に、写真データを整理できるように処理する機能を備える撮像装置を提供するが可能となる。また、撮像装置が、撮像時に、自動的に、写真データを整理できるように処理することによって、ユーザの利便性を向上させることが可能となる。
【発明を実施するための最良の形態】
【０００９】
以下、図面を参照してこの発明の実施の形態を説明する。
図１はこの発明の実施の形態に係る撮像装置の構成を示すブロック図である。
撮像装置１００は静止画と動画の両方の撮像（撮影）が可能であるが、ここでは静止画の撮像を例にとって説明する。
撮像装置１００は、デジタル信号出力部１０１、信号処理部１０２、圧縮伸張処理部１０３、ワークメモリ１０４、ＨＤＤ（Hard  Disk  Drive）１０５を備えている。
【００１０】
また、撮像装置１００は、メモリカードスロット１０６、ビデオデコーダ１０７、ＬＣＤ（Liquid  Crystal  Display）ドライバ１０８、ＬＣＤ１０９と、ＬＡＮコントローラ１１０、ＵＳＢコントローラ１１１を備えている。さらに、撮像装置１００は、ＬＡＮ端子１１２、ＵＳＢ端子１１３、ＣＰＵ１１４、操作部１１５、フォントデータＲＯＭ１１６を備えている。
【００１１】
デジタル信号出力部１０１は、レンズ（図示せず）を通して得られる被写体の光学画像を用いてＣＣＤ（Charge  Coupled  Device）が生成したアナログの電気信号をデジタル信号に変換して信号処理部１０２に出力する。
【００１２】
信号処理部１０２は、入力されるデジタル信号に画像処理を施し、実際に撮像された撮像映像を示す写真データを生成する。生成された動画データは一旦メモリ１０４に格納される。
【００１３】
圧縮伸張処理部１０３は、メモリ１０４から取り出した写真データを圧縮処理して圧縮写真データとし、静止画データを圧縮静止画データとする。また、圧縮伸張処理部１０３は、ＣＰＵ１１４の指示にしたがい、圧縮静止画データを伸長する。
【００１４】
メモリ１０４には、信号処理部１０２による処理の対象となるデータや、圧縮伸張処理部１０３による処理の対象となるデータが一時的に記憶される。
ＨＤＤ１０５は、外部または内蔵される記憶装置であって、圧縮された写真データおよび音声データを記録する。ＨＤＤ１０５はＨＤ（Hard  Disc）に対して、ランダムアクセスでデータの読み書きを行う。
【００１５】
メモリカードスロット１０６は、ＳＤメモリカード（Secure  Digital  memory  card）などのメモリカード１１７が差込まれ、その差込まれたメモリカード１１７に対するデータの読み書きを行う。
【００１６】
ビデオデコーダ１０７は、圧縮されている写真データを用いて撮像された撮像映像を表示するため、写真データの復号化処理を行い、ＬＣＤドライバ１０８に出力する。ここでは、このビデオデコーダ１０７は、復号化プログラムにより実現されるソフトウェアデコーダーである。
【００１７】
ＬＣＤドライバ１０８は、ビデオデコーダ１０７から受けた復号化された写真データをＬＣＤ１０９のインターフェースに適合した表示信号に変換する。ＬＣＤ１０９は、ＬＣＤドライバ１０８から出力される表示信号を用いて撮像映像を表示する。
【００１８】
ＬＡＮコントローラ１１０は、ＣＰＵ１１４の指示にしたがい、メモリ１０４から取り出した画像データを、ＬＡＮ端子１１２を介して接続される図示しない外部の装置（例えば、ＤＶＤレコーダやＨＤＤレコーダ）へ転送する。また、ＬＡＮコントローラ１１０は、ＬＡＮ端子１１２を介して外部の装置から取り込んだ写真データをメモリ１０４に出力する。
【００１９】
ＵＳＢコントローラ１１１は、ＣＰＵ１１４の指示にしたがい、メモリ１０４から取り出した写真データを、ＵＳＢ端子１１３を介して接続される図示しない外部の装置（例えば、パーソナルコンピュータ）へ転送する。また、ＵＳＢコントローラ１１１は、ＵＳＢ端子１１３を介して外部の装置から取り込んだ写真データをメモリ１０４に出力する。
【００２０】
ＣＰＵ１１４は、図示しないＲＯＭに記憶されているプログラムにしたがい本発明の特徴とする各種手段（データ差替手段、領域確保手段）として作動する。また、ＣＰＵ１１４は、他の構成要素との信号の入出力を行い、撮像装置１００全体の動作制御や各シーケンスの制御を行う。
【００２１】
操作部１１５はＪＯＧダイヤルと十字キーを有し、それらを用いてユーザが撮像装置１００における種々の機能（例えば、撮像の開始や停止、撮像映像の再生など）を選択する操作を行う選択操作手段である。
【００２２】
フォントデータＲＯＭ１１６には、先行データ付き写真データに挿入されるタイトルを構成する複数の文字、記号などのフォントのデータが記憶されている。
図２は、この発明の実施の形態に係る撮像装置の動作を説明するフローチャートである。
この発明の実施の形態においては、撮像（撮影）時に、前回の撮像（第１の撮像）時刻と今回の撮像（第２の撮像）時刻を用いて時刻差を求め、予め設定された時間と比較する。そして、求められた時刻差が予め設定された時間より大きい場合（時間超過）は、画像をグループとしてマーキングするためのマーキング画像を今回の撮像画像に関連付けて記録媒体に記録する。
【００２３】
符号Ｓ１００はここでの開始ステップである。続いて符号Ｓ１０１を付したステップへ進む。
符号Ｓ１０１は前回の撮像（第１の撮像）時刻を取得するステップである。前回の撮像（第１の撮像）時刻は画像グループと関連付けて記憶されていることが望ましい。続いて符号Ｓ１０２を付したステップへ進む。
【００２４】
符号Ｓ１０2は設定時間を超過したか。すなわち、前回の撮像（第１の撮像）時刻と今回の撮像（第２の撮像）時刻を用いて時刻差を求め、予め設定された時間と比較するステップである。求められた時刻差が予め設定された時間より大きい（時間超過）と判定された場合は、符号Ｓ１０３を付したステップへ進む（Ｙｅｓ）。求められた時刻差が予め設定された時間より大きい（時間超過）と判定されない場合は、符号Ｓ１０4を付したステップへ進む（Ｎｏ）。
【００２５】
符号Ｓ１０3は上記のように、画像をグループとしてマーキングするためのマーキング画像を作成するステップである。続いて符号Ｓ１０４を付したステップへ進む。
【００２６】
符号Ｓ１０4は今回の撮像（第２の撮像）に応じて上記作成されたマーキング画像が挿入されるステップである。このとき、マーキング画像は今回の撮像（第２の撮像）画像グループに関連付けて記録媒体に記録する。このとき、後述するように、マーキング画像は画像グループの始めに挿入されることが望ましい。またマーキング画像は、図３に示すように、画像ファイルとして視認できるようにし、撮影ファイルを一覧表示した際の視認性を向上させることが望ましい。
【００２７】
符号Ｓ１０５は終了ステップであり、ここでの処理は終了する。
すなわち、この発明の実施の形態にかかる撮像装置においては、撮像を行う撮像手段と、第１の撮像動作に応じて時刻情報を取得する撮像時刻取得手段と、前記取得された時刻情報を撮像された第１の撮像画像と関連付けて記録媒体に記録する時刻情報記録手段と、第２の撮像動作に応じて撮像された第２の撮像画像に係る時刻情報を取得し、前記記録された第１の撮像画像に係る時刻情報との差を求め、予め設定された時間と比較し、前記第１および第２の撮像に係る時刻差が予め設定された時間より大きいか否かを判定する撮像時刻差判定手段と、前記第１および第２の撮像に係る時刻差が予め設定された時間より大きいと判定された場合は、画像をマーキングするための第１のマーキング画像を前記第２の撮像動作で撮像される画像に関連付けて記録媒体に記録する画像記録手段を備えている。これによって、撮像時に、自動的に、写真データを整理できるように処理する撮像装置を提供することが可能となる。
【００２８】
図３はこの発明の実施の形態に係る撮像装置におけるマーキング画像の一例を示す図である。
このマーキング画像では撮影日、撮影時間帯、GPS情報など一般的なメタデータが表示されることが望ましい。また、後述するように、マーキング画像を作成した後に、さらに情報が追加されても良い。
【００２９】
図４はこの発明の実施の形態に係る撮像装置におけるマーキング画像の他の例を示す図である。
上記と同様に、このマーキング画像では撮影日、撮影時間帯、GPS情報など一般的なメタデータが表示されることが望ましい。また、後述するように、マーキング画像を作成した後に、さらに情報が追加されても良い。
【００３０】
図５はこの発明の実施の形態に係る撮像装置で撮像された画像一覧を示す図である。
この発明の実施の形態に係る撮像装置は、マーキング画像を撮像画像グループに関連付けて記録媒体に記録する。ここでは、第１の画像グループ（上欄）について、撮影日：２００７／０４／２９、撮影時間帯：１０:３０−１５:００、関連写真枚数：15枚等の情報が表示されている。また、第２の画像グループ（下欄）について、撮影日：２００７／０５／０５、撮影時間帯：１３:３０−１７:００、関連写真枚数：２８枚等の情報が表示されている。
【００３１】
図６はこの発明の実施の形態に係る撮像装置において作成されたマーキング画像に情報を追加する動作を説明するフローチャートである。
ここでは、撮像（撮影）時に、前回の撮像（第１の撮像）位置と今回の撮像（第２の撮像）位置を用いて位置間隔（差）を求め、予め設定された位置間隔（差）と比較する。そして、求められた位置間隔（差）が予め設定された位置間隔（差）より大きい場合（位置間隔（差）超過）は、挿入されているマーキング画像を編集する。
【００３２】
符号Ｓ２００はここでの開始ステップである。ここでは待機状態である。続いて符号Ｓ２０１を付したステップへ進む。
符号Ｓ２０１は前回の撮像（第１の撮像）位置を取得するステップである。続いて符号Ｓ２０２を付したステップへ進む。
符号Ｓ２０2は設定位置間隔（差）を超過したか。すなわち、前回の撮像（第１の撮像）位置と今回の撮像（第２の撮像）位置を用いて位置間隔（差）を求め、予め設定された位置間隔（差）と比較するステップである。求められた位置間隔（差）が予め設定された位置間隔（差）より大きい（位置間隔（差）超過）と判定された場合は、符号Ｓ２０３を付したステップへ進む（Ｙｅｓ）。求められた時刻差が予め設定された時間より大きい（時間超過）と判定されない場合は、符号Ｓ２０4を付したステップへ進む（Ｎｏ）。
【００３３】
符号Ｓ２０3は画像グループをＧＰＳ等の位置情報に応じて識別管理するためにマーキング画像を編集するステップである。続いて符号Ｓ２０４を付したステップへ進む。
【００３４】
符号Ｓ２０４は終了ステップであり、ここでの処理は終了する。
この発明の実施の形態に係る撮像装置においては、第３の撮像動作に応じて撮像された第３の撮像画像に係る時刻情報を取得し、前記記録された第２の撮像画像に係る時刻情報との差を求め、予め設定された時間と比較し、前記第２および第３の撮像に係る時刻差が予め設定された時間より大きいか否かを判定し、前記第２および第３の撮像に係る時刻差が予め設定された時間より大きいと判定された場合は、画像をマーキングするための第２のマーキング画像を前記第３の撮像動作で撮像される画像に関連付けて記録媒体に記録し、前記第１のマーキング画像に関連付けられた位置情報と前記第２のマーキング画像に関連付けられた位置情報の差を予め設定された位置間隔と比較し、前記位置情報の差が予め設定された位置間隔より大きい場合は前記記録された第１のマーキング画像または第２のマーキング画像の少なくとも１つに位置情報を関連付けて編集するように構成している。
【００３５】
図７はこの発明の実施の形態に係る撮像装置で撮像され、記録されたファイルのテーブルの一例を示す図である。
写真データ、すなわち画像がファイルとして記録されている。また、マーキング画像も同様に、ファイルとして記録されている。そして、マーキング画像は、この写真データ（画像）ファイルをグループとしてマーキングするために各グループに関連付けて記録される。ここでは、グループの指標として日付が用いられており、2007/4/29のグループと2007/5/5のグループにそれぞれのマーキング画像が関連付けられている。
【００３６】
図８はこの発明の実施の形態に係る撮像装置におけるマーキング画像の他の例を示す図である。
このマーキング画像では撮影日、撮影時間帯が表示されている。
上記のように構成することによって、この発明の実施の形態においては、撮像時に、自動的に、写真データを整理できるように処理する撮像装置を提供するが可能となるという効果がある。また、撮像装置が、撮像時に、自動的に、写真データを整理できるように処理することによって、ユーザの利便性を向上させることが可能となるという効果がある。
【００３７】
なお、この発明は上記した実施の形態そのままに限定されるものではなく、実施段階ではその趣旨を逸脱しない範囲で構成要素を種々変形して具体化することが可能である。
【図面の簡単な説明】
【００３８】
【図１】この発明の実施の形態に係る撮像装置の構成を示すブロック図。
【図２】この発明の実施の形態に係る撮像装置の動作を説明するフローチャート。
【図３】この発明の実施の形態に係る撮像装置におけるマーキング画像の一例を示す図。
【図４】この発明の実施の形態に係る撮像装置におけるマーキング画像の他の例を示す図。
【図５】この発明の実施の形態に係る撮像装置で撮像された画像一覧を示す図。
【図６】この発明の実施の形態に係る撮像装置において作成されたマーキング画像に情報を追加する動作を説明するフローチャート。
【図７】この発明の実施の形態に係る撮像装置で撮像され、記録されたファイルのテーブルの一例を示す図。
【図８】この発明の実施の形態に係る撮像装置におけるマーキング画像の他の例を示す図。
【符号の説明】
【００３９】
１００…撮像装置（画像編集装置）、１０２…信号処理部、１０５…ＨＤＤ、１０９…ＬＣＤ。
【図１】
2008306401.tif 000003
【図２】
2008306401.tif 000004
【図３】
2008306401.tif 000005
【図４】
2008306401.tif 000006
【図５】
2008306401.tif 000007
【図６】
2008306401.tif 000008
【図７】
2008306401.tif 000009
【図８】
2008306401.tif 000010